(57)【要約】【課題】同時に少なくとも一つ以上のサービスを提供する携帯インターネットシステムにおいて、一つの課金報告周期に合わせて、そのタイミングで進行中の全てのサービスフローに対する課金報告を行うことで、課金メッセージ伝送による網負荷を減少させると同時に、加入者端末のデータ使用量を正確に把握して報告できる課金装置及び方法を提供する。【解決手段】少なくとも一つ以上のサービスを加入者端末に提供可能な携帯インターネットシステムでの課金装置において、加入者端末からサービスが要請されると、課金報告タイミング信号があるかどうかを判断し、新しい課金報告タイミング信号が必要である場合、該当のサービスに対する課金報告タイマーを生成し、前記生成された課金報告タイマーの課金報告タイミング信号を基準課金報告タイミング信号として設定し、前記設定された基準課金報告タイミング信号によって進行中の少なくとも一つのサービスフローに対する課金情報を課金サーバーに提供する課金処理部と；前記課金報告タイミング信号を生成する課金報告タイマーと；前記加入者端末に提供される少なくとも一つのサービスフロー別に課金情報が記録される課金テーブルが保存されたメモリ部と；を含んで携帯インターネットシステムでの課金装置を構成する。【選択図】図６
2009523353.tif 000002
【特許請求の範囲】
【請求項１】
少なくとも一つ以上のサービスを加入者端末に提供可能な携帯インターネットシステムでの課金装置において、
加入者端末からサービスが要請されると、課金報告タイミング信号があるかどうかを判断し、新しい課金報告タイミング信号が必要である場合、該当のサービスに対する課金報告タイマーを生成し、前記生成された課金報告タイマーの課金報告タイミング信号を基準課金報告タイミング信号として設定し、前記設定された基準課金報告タイミング信号によって進行中の少なくとも一つのサービスフローに対する課金情報を課金サーバーに提供する課金処理部と；
前記課金報告タイミング信号を生成する課金報告タイマーと；
前記加入者端末に提供される少なくとも一つのサービスフロー別に課金情報が記録される課金テーブルが保存されたメモリ部と；を含むことを特徴とする携帯インターネットシステムでの課金装置。
【請求項２】
前記課金テーブルは、サービスセッション単位で構成されており、セッションＩＤ、加入者端末のＩＰ住所、課金類型、送受信パケット量及びオクテット数、課金開始／終了時間、課金報告タイマーのタイミング信号生成可否、課金報告周期情報のうち少なくとも一つの情報を含むことを特徴とする請求項１に記載の携帯インターネットシステムでの課金装置。
【請求項３】
前記課金処理部は、
前記加入者端末からサービスが要請されると、課金報告タイミング信号があるかどうかを判断し、新しいタイミング信号が必要である場合、該当のサービスに対する課金報告タイマーを生成し、前記生成された課金報告タイマーの課金報告タイミング信号を基準課金報告タイミング信号として設定することを特徴とする請求項１に記載の携帯インターネットシステムでの課金装置。
【請求項４】
前記課金処理部は、
前記加入者端末から要請された少なくとも一つのサービスに対して各サービスフロー別にセッションを生成し、各セッション単位で課金情報を収集し、前記収集された課金情報を前記課金テーブルに記録することを特徴とする請求項１に記載の携帯インターネットシステムでの課金装置。
【請求項５】
前記課金処理部は、
加入者端末からサービスの生成、変更及び削除のうち少なくとも一つが要請された場合、前記要請に対応する課金開始、変更及び終了情報のうち少なくとも一つの情報を前記課金サーバーに提供することを特徴とする請求項１に記載の携帯インターネットシステムでの課金装置。
【請求項６】
前記課金処理部は、
加入者端末からサービスの生成、変更及び削除のうち少なくとも一つが要請された場合、前記要請時に進行中の少なくとも一つのサービスフローに対する課金情報を前記課金サーバーに提供することを特徴とする請求項１に記載の携帯インターネットシステムでの課金装置。
【請求項７】
前記課金装置は、ＩＥＥＥ  ８０２．１６の規格に従う基地局または制御局のうち何れか一つにモジュール化されたことを特徴とする請求項１に記載の携帯インターネットシステムでの課金装置。
【請求項８】
少なくとも一つ以上のサービスを加入者端末に提供可能な携帯インターネットシステムでの課金装置において、
加入者端末からの第１サービス提供要請に応答し、課金報告周期によるタイミング信号を生成する課金報告タイマーと；
前記第１サービスに対する課金情報を前記タイミング信号によって周期的に課金サーバーに提供し、前記第１サービス提供中に前記加入者端末から第２サービス提供要請を受ける場合、前記第２サービスに対する課金情報を前記タイミング信号によって前記第１サービスに対する課金情報と一緒に課金サーバーに提供する課金処理部と；を含むことを特徴とする携帯インターネットシステムでの課金装置。
【請求項９】
前記課金処理部は、
前記加入者端末からの第２サービスの要請時、前記第２サービス開始情報及び前記第１サービスに対する課金情報を前記課金サーバーに提供することを特徴とする請求項８に記載の携帯インターネットシステムでの課金装置。
【請求項１０】
前記課金処理部は、
第１及び第２サービスのうち少なくとも一つのサービスに対する前記加入者端末からの終了要請時、前記終了要請に対応するサービスの終了情報及び進行中のサービスに対する課金情報を前記課金サーバーに提供することを特徴とする請求項８に記載の携帯インターネットシステムでの課金装置。
【請求項１１】
前記課金処理部は、
前記第１及び第２サービスが提供される間に前記加入者端末から第３サービス提供要請を受ける場合、前記第３サービスに対する課金情報を前記タイミング信号によって前記第１及び第２サービスに対する課金情報と一緒に前記課金サーバーに提供することを特徴とする請求項８に記載の携帯インターネットシステムでの課金装置。
【請求項１２】
前記課金処理部は、
前記加入者端末からの第３サービスの要請時、前記第３サービス開始情報、前記第１及び第２サービスに対する課金情報を前記課金サーバーに提供することを特徴とする請求項１１に記載の携帯インターネットシステムでの課金装置。
【請求項１３】
前記課金処理部は、
前記第１乃至第３サービスのうち少なくとも一つのサービスに対する終了要請時、前記終了要請に対応するサービスの終了情報及び進行中のサービスに対する課金情報を前記課金サーバーに提供することを特徴とする請求項１１に記載の携帯インターネットシステムでの課金装置。
【請求項１４】
前記課金処理部は、
前記第１サービスが終了される場合、前記第２サービスに対する課金情報を前記タイミング信号によって前記課金サーバーに提供することを特徴とする請求項８に記載の携帯インターネットシステムでの課金装置。
【請求項１５】
前記課金報告タイマーは、
前記加入者端末に最後まで提供されるサービスの終了要請時、タイミング信号を終了することを特徴とする請求項８に記載の携帯インターネットシステムでの課金装置。
【請求項１６】
前記課金処理部は、
加入者端末から少なくとも一つのサービスが要請されると、既に生成されたタイミング信号があるかどうかを判断し、新しいタイミング信号が必要である場合、該当のサービスフローに対する課金報告タイマーを生成し、前記生成された課金報告タイマーの課金報告タイミング信号を基準課金報告タイミング信号として設定することを特徴とする請求項８に記載の携帯インターネットシステムでの課金装置。
【請求項１７】
各サービスフロー別に課金情報が記録されている課金テーブルが保存されたメモリ部をさらに含むことを特徴とする請求項８に記載の携帯インターネットシステムでの課金装置。
【請求項１８】
前記課金装置は、ＩＥＥＥ  ８０２．１６の規格に従う基地局または制御局のうち何れか一つにモジュール化されたことを特徴とする請求項８に記載の携帯インターネットシステムでの課金装置。
【請求項１９】
加入者端末に提供される少なくとも一つのサービスに対する課金情報を課金サーバーに提供する携帯インターネットシステムでの課金方法において、
（ａ）加入者端末から少なくとも一つのサービスが要請されると、課金報告タイミング信号があるかどうかを判断する段階と；
（ｂ）新しい課金報告タイミング信号が必要である場合、該当のサービスに対する課金報告タイマーを生成し、前記生成された課金報告タイマーの課金報告タイミング信号を基準課金報告タイミング信号として設定する段階と；
（ｃ）前記課金報告タイマーのタイミング信号によって進行中の少なくとも一つのサービスフローに対する課金情報を課金サーバーに提供する段階と；を含むことを特徴とする携帯インターネットシステムでの課金方法。
【請求項２０】
加入者端末からサービスの生成、変更及び削除のうち少なくとも一つが要請された場合、前記要請時に進行中の少なくとも一つのサービスフローに対する課金情報を前記課金サーバーに提供する段階をさらに含むことを特徴とする請求項１９に記載の携帯インターネットシステムでの課金方法。
【請求項２１】
前記（ａ）段階後または（ｂ）段階後、
前記要請された各サービスのサービスフロー別にセッションを生成し、前記各セッション単位で課金情報を収集し、収集された課金情報を課金テーブルに記録する段階をさらに含むことを特徴とする請求項１９に記載の携帯インターネットシステムでの課金方法。
【請求項２２】
前記（ｂ）段階は、
既に生成された課金報告タイミング信号がある場合、前記既に生成された課金報告タイミング信号を基準課金報告タイミング信号として設定し、
前記既に生成された課金報告タイミング信号がなく、新しい課金報告タイミング信号が必要である場合、該当のサービスに対する課金報告タイマーを生成し、前記生成された課金報告タイマーの課金報告タイミング信号を基準課金報告タイミング信号として設定することを特徴とする請求項１９に記載の携帯インターネットシステムでの課金方法。
【請求項２３】
前記課金情報は、
該当のサービスフローに対するＩＰ階層の送受信パケット量及びオクテット数情報のうち少なくとも一つの情報を含むことを特徴とする請求項１９に記載の携帯インターネットシステムでの課金方法。
【請求項２４】
加入者端末に提供される少なくとも一つのサービスに対する課金情報を課金サーバーに提供する携帯インターネットシステムでの課金方法において、
（ａ）前記加入者端末から第１サービス提供が要請される場合、課金報告タイミング信号が生成され、前記第１サービスに対する課金情報を前記課金サーバーに提供する段階と；
（ｂ）前記課金報告タイミング信号のうち第１及び第２タイミング信号の間に前記加入者端末から第２サービス提供が要請される場合、前記第２タイミング信号発生時に第１及び２サービスに対する課金情報を前記課金サーバーに提供する段階と；
（ｃ）前記課金報告タイミング信号の周期に合わせて前記第１及び第２サービスに対する課金情報を前記課金サーバーに提供する段階と；を含むことを特徴とする携帯インターネットシステムでの課金方法。
【請求項２５】
前記第１及び第２タイミング信号は、周期的に生成される前記課金報告タイミング信号のうちの一つで、前記第１タイミング信号及び第２タイミング信号は順次的に発生することを特徴とする請求項２４に記載の携帯インターネットシステムでの課金方法。
【請求項２６】
前記（ａ）段階前、
前記加入者端末から第１サービス提供が要請される場合、前記第１サービス提供要請時に前記第１サービスに対する課金開始情報を前記課金サーバーに提供する段階をさらに含むことを特徴とする請求項２４に記載の携帯インターネットシステムでの課金方法。
【請求項２７】
前記（ａ）段階後、
前記加入者端末から第２サービス提供が要請される場合、前記第２サービス提供要請時に前記第２サービスに対する課金開始情報及び前記第１サービス課金情報を前記課金サーバーに提供する段階をさらに含むことを特徴とする請求項２４に記載の携帯インターネットシステムでの課金方法。
【請求項２８】
前記（ｃ）段階後、
前記加入者端末から第３サービス提供が要請される場合、前記第３サービス提供要請時に前記第３サービスに対する課金開始情報、第１サービスに対する課金情報及び第２サービスに対する課金情報を前記課金サーバーに提供する段階をさらに含むことを特徴とする請求項２４に記載の携帯インターネットシステムでの課金方法。
【請求項２９】
前記（ｃ）段階後、
前記第１及び第２サービスのうち少なくとも一つのサービスに対する終了要請がある場合、前記サービス終了要請時に各サービス終了要請に対応する課金終了情報及び進行中のサービスに対する課金情報を前記課金サーバーに提供する段階をさらに含むことを特徴とする請求項２４に記載の携帯インターネットシステムでの課金方法。
【請求項３０】
前記（ｃ）段階後、
前記提供されるサービスのうち最後まで提供されるサービスに対する終了要請がある場合、前記タイミング信号が終了される段階をさらに含むことを特徴とする請求項２４に記載の携帯インターネットシステムでの課金方法。
【請求項３１】
（ｆ）加入者端末から要請された各サービス別にセッションを生成する段階と；
（ｇ）前記各セッション単位で課金情報を収集し、収集された課金情報を課金テーブルに記録する段階と；をさらに含むことを特徴とする請求項２４に記載の携帯インターネットシステムでの課金方法。
【請求項３２】
前記（ａ）段階後、
前記加入者端末から第２サービス提供が要請されると、既に生成されたタイミング信号があるかどうかを判断する段階と；
新しいタイミング信号が必要である場合、該当のサービスに対する課金報告タイマーを生成し、前記生成された課金報告タイマーの課金報告タイミング信号を基準課金報告タイミング信号として設定する段階と；をさらに含むことを特徴とする請求項２４に記載の携帯インターネットシステムでの課金方法。
【請求項３３】
請求項１９または請求項２４のうち何れか１項の方法を実行させるためのプログラムを記録したコンピュータ可読の記録媒体。
【発明の詳細な説明】
【技術分野】
【０００１】
本発明は、携帯インターネットシステムでの課金装置及び方法に関するもので、特に、全体システムの性能に及ぼす影響を最小化しながら、加入者端末のデータ使用量を正確に把握して報告できる課金装置及び方法に関するものである。
【背景技術】
【０００２】
携帯インターネットシステムは、無線ＬＡＮから一歩進んだインターネットシステムで、既存の無線インターネットと異なり、使用者別に多数個のサービス連結を設定することができ、このような連結設定別に多様なサービスクラスを支援できる特性を有するシステムである。
【０００３】
上記のような携帯インターネットシステムにおいて、課金データは、使用者に料金を賦課する資料であるので、高度の正確性が要求されており、特に、トラフィック分析を通して今後の網拡張の根拠資料として活用されるので、課金データを正確に収集することは非常に重要である。
【０００４】
しかしながら、未だに携帯インターネットシステムの概念に合う課金データ項目及び課金方式が定義されておらず、現在移動通信システムで使用されている課金方法は、図１のように単一サービス提供方式に基づいたものである。以下、これに対してより詳細に説明する。
【０００５】
図１は、従来の課金方法を示した図で、加入者端末でサービスが生成／削除されたとき、課金メッセージが課金サーバーに伝達される過程を図式化したものである。
【０００６】
図１において、‘ＤＳＡ  ＃’はサービス生成イベントを意味し、‘ＤＳＤ  ＃’はサービス削除イベントを意味し、‘Ｓｔａｒｔ  ＳＦ＃’は該当のサービスフローに対する課金開始を意味し、‘Ｉｎｔｅｒｉｍ  ＳＦ＃’は課金報告周期でのサービスフローに対する課金情報を意味し、‘Ｓｔｏｐ  ＳＦ＃’は該当のサービスフローに対する課金終了を意味する。
【０００７】
説明の便宜上、基地局で課金報告周期に合わせて周期的に課金メッセージを生成し、これを課金サーバーに伝達すると仮定して説明する。
【０００８】
まず、加入者端末で最初のサービス（以下、"第１サービス"という。）が生成されると、（ＤＳＡ  １）、これによって、基地局では、第１サービスに対する課金報告タイマーを生成して課金を開始し（Ｓｔａｒｔ  ＳＦ１）、課金報告周期（Iｎｔｅｒｉｍ  ＳＦ１）に合わせて周期的に第１サービスフローに対する課金情報を課金メッセージに含ませて課金サーバーに伝達する。
【０００９】
その後、加入者端末で第１サービスが削除されると（ＤＳＤ  １）、基地局では、第１サービスに対する課金報告タイマーを削除すると同時に、第１サービスに対する課金を終了し（Ｓｔｏｐ  ＳＦ１）、今まで提供されたデータパケットに対する課金情報を課金メッセージに含ませて課金サーバーに伝達する。
【００１０】
その後、加入者端末で２番目のサービス（以下、"第２サービス"という。）が生成されると（ＤＳＡ  ２）、これによって、基地局では、第２サービスに対する課金報告タイマーを生成して課金を開始し（Ｓｔａｒｔ  ＳＦ２）、課金報告周期（Ｉｎｔｅｒｉｍ  ＳＦ２）に合わせて第２サービスフローに対する課金情報を課金メッセージに含ませて課金サーバーに伝達する。
【００１１】
その後、加入者端末で第２サービスが削除されると（ＤＳＤ  ２）、基地局では、第２サービスに対する課金報告タイマーを削除すると同時に、第２サービスに対する課金を終了し（Ｓｔｏｐ  ＳＦ２）、今まで提供されたデータパケットに対する課金情報を課金メッセージに含ませて課金サーバーに伝達する。
【００１２】
すなわち、従来の課金方法は、特定のタイミングで一つのサービスが活性されると仮定し、それによる課金情報を伝送する方法を採択しているので、加入者端末が多様な種類のサービスを同時に多数個要請できる携帯インターネットシステムには適用しにくいという問題点がある。
【００１３】
また、従来の課金方法では、サービス全体に対する課金情報が載せられた課金メッセージが失われたとき、これによる課金情報の遺失を最小化するために、最後に伝送された課金メッセージに載せられた課金情報を使用して課金処理を行うが、その結果、実際に提供されたデータパケットの量と課金されたデータパケットの量との間に差が生じ、網運用者に不合理であるという問題点がある。
【００１４】
上記のような課金情報の遺失を防止するために、課金報告周期を短くして課金情報を比較的正確に得る方法があるが、この場合、カウンティング及び課金報告のためのデータパケットの送受信が多くなり、ネットワーク過負荷が発生する憂いがあるという問題点がある。
【００１５】
すなわち、携帯インターネットシステムは、全体ネットワーク網のトラフィックを最小化しながら、加入者の使用量を正確に把握して報告する課金機能を有するべきであるが、システムのトラフィックと課金の正確性とは相衝関係（ｔｒａｄｅ−ｏｆｆ）にあるので、現在移動通信システムで使用されている課金方法をそのまま携帯インターネットシステムに適用することは好ましくなく、その結果、携帯インターネットシステムに適した課金政策を導入する必要性が台頭している。
【００１６】
また、携帯インターネットシステムでは、一つの加入者端末が多様な種類のサービスを多数個要請できるので、それぞれのサービスフロー別課金情報を異なるように管理できる手段が要求される。
【００１７】
すなわち、従来の課金方法は、加入者端末に対するデータパケット使用量及びサービス使用時間のみを用いて課金を処理するが、携帯インターネットシステムでは、各加入者端末に多様な形態のサービスが提供されるので、各サービスクラス別に課金データを伝送または収集できる機能が新しく要求される。
【００１８】
結論的に、携帯インターネットシステムにおいて、課金情報の遺失を最小化するとともに、課金メッセージ伝送による網負荷を減少できる一方、加入者端末に提供される多様なサービス特性に合わせて適切な料金を賦課できる課金手段が要求される。
【発明の開示】
【発明が解決しようとする課題】
【００１９】
本発明の目的は、同時に少なくとも一つ以上のサービスを提供する携帯インターネットシステムにおいて、一つの課金報告周期に合わせて、そのタイミングで進行中の全てのサービスフローに対する課金報告を行うことで、課金メッセージ伝送による網負荷を減少させると同時に、加入者端末のデータ使用量を正確に把握して報告できる課金装置及び方法を提供することにある。
【００２０】
本発明の他の目的は、使用者別に多数個のサービスを生成できる携帯インターネットシステムにおいて、各サービスフローに対する課金情報をセッション単位で記録して管理することで、サービスクラス別に差別化された課金処理を行える課金装置及び方法を提供することにある。
【課題を解決するための手段】
【００２１】
上記の目的を達成するために、本発明に係る携帯インターネットシステムの課金装置は、所定時間に少なくとも一つ以上のサービスを加入者端末に提供可能な携帯インターネットシステムでの課金装置において、加入者端末からサービスが要請されると、課金報告タイミング信号があるかどうかを判断し、新しい課金報告タイミング信号が必要である場合、該当のサービスに対する課金報告タイマーを生成し、前記生成された課金報告タイマーの課金報告タイミング信号を基準課金報告タイミング信号として設定し、前記設定された基準課金報告タイミング信号によって進行中の少なくとも一つのサービスフローに対する課金情報を課金サーバーに提供する課金処理部と；前記課金報告タイミング信号を生成する課金報告タイマーと；前記加入者端末に提供される少なくとも一つのサービスフロー別に課金情報が記録される課金テーブルが保存されたメモリ部と；を含むことを特徴とする。
【００２２】
また、上記の目的を達成するために、本発明に係る携帯インターネットシステムの課金装置は、所定時間に少なくとも一つ以上のサービスを加入者端末に提供可能な携帯インターネットシステムでの課金装置において、加入者端末からの第１サービス提供要請に応答し、課金報告周期によるタイミング信号を生成する課金報告タイマーと；前記第１サービスに対する課金情報を前記タイミング信号によって周期的に課金サーバーに提供し、前記第１サービス提供中に前記加入者端末から第２サービス提供要請を受ける場合、前記第２サービスに対する課金情報を前記タイミング信号によって前記第１サービスに対する課金情報と一緒に課金サーバーに提供する課金処理部と；を含むことを特徴とする。
【００２３】
また、上記の目的を達成するために、本発明に係る携帯インターネットシステムの課金方法は、加入者端末に提供される少なくとも一つのサービスに対する課金情報を課金サーバーに提供する携帯インターネットシステムでの課金方法において、（ａ）加入者端末から少なくとも一つのサービスが要請されると、課金報告タイミング信号があるかどうかを判断する段階と；（ｂ）新しい課金報告タイミング信号が必要である場合、該当のサービスに対する課金報告タイマーを生成し、前記生成された課金報告タイマーの課金報告タイミング信号を基準課金報告タイミング信号として設定する段階と；（ｃ）前記課金報告タイマーのタイミング信号によって進行中の少なくとも一つのサービスフローに対する課金情報を課金サーバーに提供する段階と；を含むことを特徴とする。
【００２４】
また、上記の目的を達成するために、本発明に係る携帯インターネットシステムの課金方法は、加入者端末に提供される少なくとも一つのサービスに対する課金情報を課金サーバーに提供する携帯インターネットシステムでの課金方法において、（ａ）前記加入者端末から第１サービス提供が要請される場合、課金報告タイミング信号が周期的に生成され、前記第１サービスに対する課金情報を前記課金サーバーに提供する段階と；（ｂ）前記課金報告タイミング信号のうち第１及び第２タイミング信号の間に前記加入者端末から第２サービス提供が要請される場合、前記第２タイミング信号発生時に第１及び第２サービスに対する課金情報を前記課金サーバーに提供する段階と；（ｃ）前記課金報告タイミング信号の周期に合わせて前記第１及び第２サービスに対する課金情報を前記課金サーバーに提供する段階と；を含むことを特徴とする。
【発明の効果】
【００２５】
本発明によると、一つの課金報告周期に合わせて、そのタイミングで進行中の全てのサービスフローに対する課金情報が一度に課金サーバーに伝達されるので、従来の課金方法に比べて課金メッセージ伝送による網負荷を減少させると同時に、課金情報の遺失を最小化して加入者端末に対する正確な課金情報を得られるという効果がある。
【００２６】
また、本発明によると、加入者端末で活性化されている全てのサービスフローに対する課金情報が一度に課金サーバーに伝達されるので、その結果、課金情報処理手順が簡単になり、より迅速かつ容易に課金処理を行えるという効果がある。
【００２７】
また、本発明によると、電話、データ、画像応用サービスなどの互いに異なる特性を有する情報サービスの全てが一つのサービスクラスとして取り扱われる従来の課金方法に比べて、サービスクラス別に差別化された課金方式を具現できるので、その結果、使用者別に多数個のサービスを生成できる携帯インターネットシステムにおいて、使用者とサービス提供者との間でより合理的な課金を行うことができ、サービス提供者観点でより効率的な網運用と収益を期待できるという効果がある。
【発明を実施するための最良の形態】
【００２８】
以下、添付された図面を参照して、本発明の好適な実施例に対して詳細に説明する。
【００２９】
図２は、本発明が適用される携帯インターネットシステムの構成を概略的に示した図である。
【００３０】
図２に示すように、携帯インターネットシステムは、加入者端末（Ｐｏｒｔａｂｌｅ  Ｓｕｂｓｃｒｉｂｅｒ  Ｓｔａｔｉｏｎ、ＰＳＳ）２００と、前記加入者端末２００の接続及びサービスと関連した全ての制御機能を行う基地局（Ｒａｄｉｏ  Ａｃｃｅｓｓ  Ｓｔａｔｉｏｎ、ＲＡＳ）２１０と、前記基地局２１０を制御するための制御局（Ａｃｃｅｓｓ  Ｃｏｎｔｒｏｌ  Ｒｏｕｔｅｒ、ＡＣＲ）２２０と、ＩＰネットワーク網に接続され、加入者端末２００に対する認証、権限検証及び課金機能を行うＡＡＡ（Ａｕｔｈｅｎｔｉｃａｔｉｏｎ  Ａｕｔｈｏｒｉｚａｔｉｏｎ  ａｎｄ  Ａｃｃｏｕｎｔｉｎｇ）サーバー２３０と、ＩＰネットワーク網を通してＩＰの移動性を支持するホームエージェント（Ｈｏｍｅ  Ａｇｅｎｔ、ＨＡ）２４０とを含んで構成される。以下、加入者端末２００、基地局２１０、制御局２２０の機能を要約して説明する。
【００３１】
加入者端末２００は、携帯インターネット無線接続機能、ＩＰ基盤サービス接続機能、ＩＰ移動性機能、端末／使用者認証及び保安機能、マルチキャストサービス受信機能及び他の網との連動機能を有している。
【００３２】
基地局２１０は、携帯インターネット無線接続機能、無線資源管理及び制御機能、移動性（ハンドオフ）支援機能、認証及び保安機能、ＱｏＳ提供機能、ダウンリンクマルチキャスト機能、課金、統計情報生成及び通報機能を有している。
【００３３】
制御局２２０は、ＩＰルーティング及び移動性管理機能、認証及び保安機能、ＱｏＳ提供機能、ＩＰマルチキャスト機能、課金サービス提供機能、制御局内の基地局間の移動性制御機能、資源管理及び制御機能を有している。
【００３４】
上記において、加入者端末２００と基地局２１０は、直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）方式で通信を行う。以下、ＯＦＤＭＡ方式に対して簡単に説明する。
【００３５】
ＯＦＤＭＡ方式は、複数の直交周波数の副搬送波を複数のサブチャネルとして用いる周波数分割方式と時分割方式（ＴＤＭ）方式とを結合した多重化方式で、ＯＦＤＭＡ方式は、本質的に多重経路で発生するフェーディングに強く、データ伝送率が高いので、高速データ伝送時に最適の伝送効率を得ることができ、携帯インターネットシステムで加入者端末の移動性を提供できる技術である。
【００３６】
一方、図２のように構成された携帯インターネットシステムの概念に合う課金データ項目及び課金方式は、未だに定義されておらず、現在移動通信システムで使用されている課金方法をそのまま携帯インターネットシステムに適用すると、図３のように課金メッセージ伝送量が増加して非効率的であるという問題点がある。
【００３７】
図３は、従来の課金方法を携帯インターネットシステムに適用した場合、課金メッセージが課金サーバーに伝達される過程を図式化したものである。
【００３８】
図２において、‘ＤＳＡ  ＃’はサービス生成イベントを意味し、‘ＤＳＣ  ＃’はサービス変更イベントを意味し、‘ＤＳＤ  ＃’はサービス削除イベントを意味し、‘Ｓｔａｒｔ  ＳＦ＃’は該当のサービスフローに対する課金開始を意味し、‘Ｉｎｔｅｒｉｍ  ＳＦ＃’は課金報告周期でのサービスフローに対する課金情報を意味し、‘Ｓｔｏｐ  ＳＦ＃’は該当のサービスフローに対する課金終了を意味する。
【００３９】
説明の便宜上、基地局で課金報告周期に合わせて周期的に課金メッセージを生成し、これを課金サーバーに伝達すると仮定して説明する。
【００４０】
まず、加入者端末で第１サービスが生成されると（ＤＳＡ  １）、これによって、基地局では、第１サービスに対する課金報告タイマーを生成して課金を開始し（Ｓｔａｒｔ  ＳＦ１）、課金報告周期（Ｉｎｔｅｒｉｍ  ＳＦ１）に合わせて周期的に第１サービスフローに対する課金情報を課金メッセージに含ませて課金サーバーに伝達する。
【００４１】
その後、加入者端末で２番目のサービス（以下、"第２サービス"という。）と３番目のサービス（以下、"第３サービス"という。）が生成されると（ＤＳＡ  ２、ＤＳＡ  ３）、これによって、基地局では、第２サービス及び第３サービスに対する課金報告タイマーをそれぞれ生成して課金を開始し（Ｓｔａｒｔ  ＳＦ２、Ｓｔａｒｔ  ＳＦ３）、各課金報告タイマーの課金報告周期（Ｉｎｔｅｒｉｍ  ＳＦ２、Ｉｎｔｅｒｉｍ  ＳＦ３）に合わせて周期的に該当のサービスに対する課金情報を課金メッセージに含ませて課金サーバーに伝達する。
【００４２】
一方、加入者端末で第２サービスが削除されると（ＤＳＤ  ２）、基地局では、第２サービスに対する課金報告タイマーを削除すると同時に、第２サービスに対する課金を終了し（Ｓｔｏｐ  ＳＦ２）、今まで提供されたデータパケットに対する課金情報を課金メッセージに含ませて課金サーバーに伝達する。
【００４３】
その後、基地局では、現在残っている第１サービス及び第３サービスに対する課金情報を各サービスの終了時まで、該当の課金報告周期に合わせて課金サーバーに伝達する。
【００４４】
また、加入者端末で第３サービスが変更されると（ＤＳＣ  ３）、基地局では、第３サービスに対する課金を終了し（Ｓｔｏｐ  ＳＦ３）、新しい第３サービスに対する課金を開始する（Ｓｔａｒｔ  ＳＦ３）。
【００４５】
すなわち、上記のようにサービスの生成／変更／削除イベントの発生時だけでなく、各サービスごとに課金報告周期に合わせて課金情報を独立的に課金サーバーにそれぞれ伝送すると、課金のためのデータパケットの送受信が多くなり、課金サーバーにトラフィックが集中されるという問題点が発生する。
【００４６】
このために、本発明の課金装置は、次に説明するように、一つの課金報告周期に合わせて、そのタイミングで進行中の全てのサービスフローに対する課金情報を一度に課金サーバーに伝送することで、課金情報の遺失を最小化しながら課金メッセージ伝送による網負荷を減少させることができる。以下、本発明に係る課金装置に対してより詳細に説明する。
【００４７】
図４は、本発明に係る携帯インターネットシステムでの課金装置を示したブロック図である。
【００４８】
図４に示すように、本発明に係る課金装置４００は、加入者端末２００からのサービス提供要請に応答し、課金報告周期によるタイミング信号を生成する課金報告タイマー４１０と、前記課金報告タイマー４１０からのタイミング信号によって各サービスフローに対する課金情報を収集し、これを一度に伝送する課金処理部４２０と、各サービス別に課金情報が記録されている課金テーブル４３１を含むメモリ部４３０と、を含んで構成されている。
【００４９】
図４において、前記課金装置４００は、図２に示したＩＥＥＥ  ８０２．１６の規格に従う基地局２１０または制御局２２０のうち何れか一つにモジュール化されるが、本実施例では、説明の便宜上、課金装置４００が基地局２１０にモジュール化されていると仮定して説明する。
【００５０】
前記課金処理部４２０は、加入者端末２００から多様な種類のサービスＳＶＣ１，ＳＶＣ２，ＳＶＣ３が要請されると、サービス別にセッションを生成し、各セッション単位で課金情報を収集し、収集された課金情報を課金テーブル４３１に記録し、課金報告タイマー４１０のタイミング信号、すなわち、課金報告周期に合わせて前記課金テーブル４３１を参照し、そのタイミングで進行中の少なくとも一つ以上のサービスに対する課金情報をＡＡＡサーバー２３０に伝送する。
【００５１】
上記において、タイミング信号は、課金報告タイマー４１０の課金報告周期に合わせて周期的に生成される信号で、本実施例において、第１乃至第Ｎタイミング信号は、所定の時間間隔をおいて課金報告周期ごとに順次的に生成される課金報告タイミング信号であり、タイミング信号と課金報告タイミング信号は、同一の意味として理解される。
【００５２】
前記課金テーブル４３１は、サービスクラス別に差別化された課金処理を行えるように各セッション単位で構成されており、セッションＩＤ、加入者端末のＩＰ住所、課金類型、送受信パケット量及びオクテット数、課金開始／終了時間、課金報告タイマーのタイミング信号生成可否、課金報告周期情報などを含むことが好ましい。
【００５３】
すなわち、本発明に係る課金装置４００は、一つの課金報告周期に合わせて、そのタイミングで進行中の全てのサービスに対する課金情報を一度にＡＡＡサーバー２３０に伝送することで、課金情報を収集するためのネットワーク網の負荷を減少させ、より迅速かつ容易に課金処理を行えるようにするとともに、サービスクラス別に差別化された課金処理を行い、使用者別に多数個のサービスを生成できる携帯インターネットシステムでより合理的な課金を行えるようにする。
【００５４】
以下、前記課金装置４００の動作に対して、図５を参照してより詳細に説明する。
【００５５】
図５は、本発明に係る課金装置の動作を説明するための図である。
【００５６】
図５において、‘ＤＳＡ  ＃’はサービス生成イベントを意味し、‘ＤＳＣ  ＃’はサービス変更イベントを意味し、‘ＤＳＤ  ＃’はサービス削除イベントを意味し、‘Ｓｔａｒｔ  ＳＦ＃’は該当のサービスフローに対する課金開始を意味し、‘Ｉｎｔｅｒｉｍ  ＳＦ＃’は該当のサービスフローに対する課金情報を意味し、‘Ｓｔｏｐ  ＳＦ＃’は該当のサービスフローに対する課金終了を意味する。
【００５７】
まず、時間ｔ１で第１サービスフローが生成されると（ＤＳＡ  １）、課金処理部４２０は、第１サービスフローに対する課金報告タイマー４１０を生成すると同時に、第１サービスフローの課金開始情報（Ｓｔａｒｔ  ＳＦ１）を課金メッセージに含ませてＡＡＡサーバー２３０に伝達する。
【００５８】
これをより詳細に説明すると、加入者端末２００で新しいサービスが要請されると、課金処理部４２０は、メモリ部４３０の課金テーブル４３１を参照し、既に生成された課金報告タイミング信号があるかどうかを判断し、新しい課金報告タイミング信号が必要である場合、該当のサービスフローに対する課金報告タイマー４１０を生成する。
【００５９】
このとき、前記課金報告タイマー４１０は、その課金報告周期で課金報告のためのタイミング信号を生成するが、このように課金報告タイマー４１０を通して生成されたタイミング信号は、基準課金報告タイミング信号として設定される。
【００６０】
すなわち、課金処理部４２０は、加入者端末２００で最初に要請されたサービスに対して課金報告タイマー４１０を通して課金報告タイミング信号を生成し、その課金報告タイマー４１０のタイミング信号を基準課金報告タイミング信号として設定し、以後に加入者端末２００で他のサービスが要請されると、既に生成された課金報告タイミング信号を基準タイミング信号として認識し、以後のサービスに対しては課金報告タイミング信号を別途に生成しない。
【００６１】
上記のように基準課金報告タイミング信号を設定する理由は、後述するように、基準タイミング信号に合わせて、そのタイミングで進行中の全てのサービスフローに対する課金情報を一度にＡＡＡサーバー２３０に伝達するためである。
【００６２】
その後、時間ｔ２で課金報告タイマー４１０が課金報告周期（Ｉｎｔｅｒｉｍ）であることを知らせると、すなわち、課金報告タイマー４１０で第１タイミング信号が生成されると、課金処理部４２０は、そのタイミングで進行中の第１サービスに対する課金情報（Ｉｎｔｅｒｉｍ  ＳＦ１）を課金メッセージに含ませてＡＡＡサーバー２３０に伝達する。
【００６３】
ここで、前記課金情報は、一つの課金報告周期での課金情報またはそのタイミングまで総累積された課金情報であり、該当のサービスに対するＩＰ階層の送受信パケット量及びオクテット数情報を含むことが好ましい。
【００６４】
その後、時間ｔ３で第２サービスフローが生成されると（ＤＳＡ  ２）、課金処理部４２０は、第２サービスフローの課金開始情報（Ｓｔａｒｔ  ＳＦ２）と、そのタイミングで進行中の第１サービスフローに対する課金情報（Ｉｎｔｅｒｉｍ  ＳＦ１）を課金メッセージに含ませてＡＡＡサーバー２３０に伝達する。
【００６５】
その後、時間ｔ４で再び課金報告タイマー４１０が課金報告周期（Ｉｎｔｅｒｉｍ）であることを知らせると、すなわち、課金報告タイマー４１０で第２タイミング信号が生成されると、課金処理部４２０は、そのタイミングで進行中の第１サービスフローと第２サービスフローに対する課金情報（Ｉｎｔｅｒｉｍ  ＳＦ１、Ｉｎｔｅｒｉｍ  ＳＦ２）を課金メッセージに含ませてＡＡＡサーバー２３０に伝達する。
【００６６】
その後、時間ｔ５で第３サービスフローが生成されると、課金処理部４２０は、第３サービスフローの課金開始情報（Ｓｔａｒｔ  ＳＦ３）と一緒に、そのタイミングで進行中の第１サービスフロー及び第２サービスフローに対する課金情報（Ｉｎｔｅｒｉｍ  ＳＦ１、Ｉｎｔｅｒｉｍ  ＳＦ２）を課金メッセージに含ませてＡＡＡサーバー２３０に伝達する。
【００６７】
その後、時間ｔ６で再び課金報告タイマー４１０が課金報告周期（Ｉｎｔｅｒｉｍ）であることを知らせると、すなわち、課金報告タイマー４１０で第３タイミング信号が生成されると、課金処理部４２０は、そのタイミングで進行中の第１サービスフロー、第２サービスフロー及び第３サービスフローの課金情報（Ｉｎｔｅｒｉｍ  ＳＦ１、Ｉｎｔｅｒｉｍ  ＳＦ２、Ｉｎｔｅｒｉｍ  ＳＦ３）を課金メッセージに含ませてＡＡＡサーバー２３０に伝達する。
【００６８】
一方、時間ｔ７で第２サービスフローが消滅されると（ＤＳＤ  ２）、課金処理部４２０は、第２サービスフローに対する課金終了情報（Ｓｔｏｐ  ＳＦ２）と、そのタイミングで進行中の第１サービスフロー及び第３サービスフローに対する課金情報（Ｉｎｔｅｒｉｍ  ＳＦ１、Ｉｎｔｅｒｉｍ  ＳＦ３）を課金メッセージに含ませてＡＡＡサーバー２３０に伝達する。
【００６９】
その後、時間ｔ８で再び課金報告タイマー４１０が課金報告周期（Ｉｎｔｅｒｉｍ）であることを知らせると、すなわち、課金報告タイマー４１０で第４タイミング信号が生成されると、課金処理部４２０は、そのタイミングで進行中の第１サービスフロー及び第３サービスフローの課金情報（Ｉｎｔｅｒｉｍ  ＳＦ１、Ｉｎｔｅｒｉｍ  ＳＦ３）を課金メッセージに含ませてＡＡＡサーバー２３０に伝達する。
【００７０】
その後、時間ｔ９で第３サービスフローが変更されると（ＤＳＣ  ３）、課金処理部４２０は、第３サービスフローの課金終了情報（Ｓｔｏｐ  ＳＦ３）及び新しく変更された第３サービスフローの課金開始情報（Ｓｔａｒｔ  ＳＦ３）と一緒に、そのタイミングで進行中の第１サービスフローに対する課金情報（Ｉｎｔｅｒｉｍ  ＳＦ１）を課金メッセージに含ませてＡＡＡサーバー２３０に伝達する。
【００７１】
その後、時間ｔ１０で第４サービスフローが生成されると（ＤＳＡ  ４）、課金処理部４２０は、第４サービスフローの課金開始情報（Ｓｔａｒｔ  ＳＦ４）と一緒に、そのタイミングで活性化されている第１サービスフロー及び第３サービスフローに対する課金情報（Ｉｎｔｅｒｉｍ  ＳＦ１、Ｉｎｔｅｒｉｍ  ＳＦ３）を課金メッセージに含ませてＡＡＡサーバー２３０に伝達する。
【００７２】
その後、時間ｔ１１で再び課金報告タイマー４１０が課金報告周期（Ｉｎｔｅｒｉｍ）であることを知らせると、すなわち、課金報告タイマー４１０で第５タイミング信号が生成されると、課金処理部４２０は、そのタイミングで進行中の第１サービスフロー、第３サービスフロー及び第４サービスフローの課金情報（Ｉｎｔｅｒｉｍ  ＳＦ１、Ｉｎｔｅｒｉｍ  ＳＦ３、Ｉｎｔｅｒｉｍ  ＳＦ４）を課金メッセージに含ませてＡＡＡサーバー２３０に伝達する。
【００７３】
一方、前記課金処理部４２０は、加入者端末２００上の全てのサービスの終了時まで、すなわち、加入者端末２００に最後まで提供されるサービスの終了要請があるときまで課金報告タイマー４１０のタイミング信号を維持させることで、第１サービスが終了される場合にも、前記課金報告タイマー４１０のタイミング信号によって進行中の他のサービスに対する課金情報は、継続的に課金サーバー２３０に伝送される。
【００７４】
また、前記課金処理部４２０は、前記提供されるサービスのうち最後まで提供されるサービスに対する終了要請がある場合、前記課金報告タイマー４１０のタイミング信号生成を終了させ、これ以上課金報告が行われないようにする。
【００７５】
上述したように、本発明の課金装置４００は、周期的な課金報告だけでなく、サービスの状態遷移が発生する場合、一つの課金報告周期に合わせて、そのタイミングで進行中の全てのサービスフローに対する課金情報を課金メッセージに含ませてＡＡＡサーバー２３０に伝送し、その結果、課金情報の遺失を最小化しながら課金メッセージ伝送による網負荷を減少できるようになる。
【００７６】
本実施例において、説明の便宜のために、加入者端末２００で最初に要請された第１サービスを基準にして課金報告タイマー４１０を生成し、その課金報告タイマー４１０のタイミング信号を基準課金報告タイミング信号として設定する場合を説明したが、他のサービスの課金報告タイマーを基準にして基準課金報告タイミング信号を設定することも可能で、課金報告タイマー設定方式は、網運用者の課金政策によって変更が可能である。
【００７７】
以下、本発明に係る携帯インターネットシステムでの課金方法に対して、添付された図面を参照して詳細に説明する。
【００７８】
図６は、本発明に係る携帯インターネットシステムでの課金方法を示したフローチャートである。
【００７９】
まず、加入者端末２００でサービス生成が要請されると（Ｓ６０２）、課金処理部４２０は、メモリ部４３０に保存された課金テーブル４３１を参照し、既に生成された課金報告タイミング信号があるかどうかを判断し（Ｓ６０４）、新しい課金報告タイミング信号が必要である場合、該当のサービスフローに対する課金報告タイマー４１０を生成する（Ｓ６０６）。
【００８０】
このとき、前記課金報告タイマー４１０は、その課金報告周期で課金報告のためのタイミング信号を生成するが、このように課金報告タイマー４１０を通して生成されたタイミング信号は、基準課金報告タイミング信号として設定される。
【００８１】
上記のように基準課金報告タイミング信号を設定する理由は、後述するように、基準タイミング信号に合わせて、そのタイミングで進行中の全てのサービスフローに対する課金情報を一度にＡＡＡサーバー２３０に伝達するためである。
【００８２】
すなわち、課金処理部４２０は、加入者端末２００で最初に要請されたサービスに対して課金報告タイマー４１０を通してタイミング信号を生成し、その課金報告タイミング信号を基準課金報告タイミング信号として設定し、以後に加入者端末２００で他のサービスが要請されると、既に生成された課金報告タイミング信号を基準課金報告タイミング信号として認識し、以後のサービスに対しては課金報告タイミング信号を別途に生成しない。
【００８３】
上記において、加入者端末２００は、その特性上、多様な種類のサービスを要請できるが、このために、課金処理部４２０は、サービスクラス別に差別化された課金処理を行えるように各サービス別にセッションを生成し、各セッション単位で課金情報を収集し、収集された課金情報を課金テーブル４３１に記録した後、課金報告タイマー４１０のタイミング信号によって前記課金テーブル４３１に記録された課金情報を課金メッセージに含ませてＡＡＡサーバー２３０に伝送する。
【００８４】
前記課金テーブル４３１は、各セッション単位で構成されており、セッションＩＤ、加入者端末のＩＰ住所、課金類型、送受信パケット量及びオクテット数、課金開始／終了時間、課金報告タイマーのタイミング信号生成可否、課金報告周期情報などを含むことが好ましい。
【００８５】
その後、課金処理部４２０は、新しく生成されたサービスフローに対する課金開始情報、及びそのタイミングで進行中の全てのサービスフローに対する課金情報を課金メッセージに含ませてＡＡＡサーバー２３０に伝送する（Ｓ６０８）。
【００８６】
その後、前記課金報告タイマー４１０が課金報告周期であることを知らせると（Ｓ６１０）、これによって、課金処理部４２０は、そのタイミングで進行中の全てのサービスフローに対する課金情報を課金メッセージに含ませてＡＡＡサーバー２３０に伝送する（Ｓ６１２）。
【００８７】
ここで、前記課金情報は、一つの課金報告周期での課金情報またはそのタイミングまで総累積された課金情報であり、該当のサービスに対するＩＰ階層の送受信パケット量及びオクテット数情報を含むことが好ましい。
【００８８】
その後、加入者端末２００からサービス変更が要請されると（Ｓ６１４）、課金処理部４２０は、課金変更情報及びそのタイミングで進行中の全てのサービスフローに対する課金情報を課金メッセージに含ませてＡＡＡサーバー２３０に伝送する（Ｓ６１６）。
【００８９】
その後、加入者端末２００からサービス終了が要請されると（Ｓ６１８）、課金処理部４２０は、課金終了情報と一緒に、そのタイミングで進行中の全てのサービスフローに対する課金情報を課金メッセージに含ませてＡＡＡサーバー２３０に伝送する（Ｓ６２０）。
【００９０】
上記のような課金メッセージ伝送は、加入者端末２００上の全てのサービスの終了時まで継続されるが（Ｓ６２２）、このために、前記課金処理部４２０は、加入者端末２００に最後まで提供されるサービスの終了要請があるときまで課金報告タイマー４１０のタイミング信号を維持させることで、第１サービスが終了される場合にも、前記課金報告タイマー４１０のタイミング信号によって進行中の他のサービスに対する課金情報は継続的に課金サーバー２３０に伝送される。
【００９１】
一方、前記提供されるサービスのうち最後まで提供されるサービスに対する終了要請がある場合、前記課金処理部４２０は、前記課金報告タイマー４１０のタイミング信号生成を終了させ、これ以上課金報告が行われないようにする。
【００９２】
上述したように、本発明の課金方法によると、一つの課金報告周期に合わせて進行中のサービスフローに対する課金情報が一度に課金サーバーに伝送されるので、より少ない量の課金情報伝送を通して一括的に全てのサービスフローに対する課金処理を行えるようになる。
【００９３】
一方、上述した本発明の各実施例は、コンピュータで実行されるプログラムとして作成可能で、コンピュータ可読の記録媒体を用いて前記プログラムを動作させる汎用デジタルコンピューターで具現されうる。
【００９４】
以上、本発明の好適な各実施例を説明してきたが、本発明の属する技術分野で通常の知識を有する者であれば、本発明がその本質的な特性を逸脱しない範囲で変形された形態で具現されうることを理解できるだろう。したがって、開示された各実施例は、限定的な観点でなく、説明的な観点で考慮されるべきである。本発明の範囲は、上述した説明でなく、特許請求の範囲に示されており、それと同等な範囲内にある全ての差異点は本発明に含まれたものとして解析されるべきである。
【図面の簡単な説明】
【００９５】
【図１】従来の課金方法を説明するための図である。
【図２】本発明が適用される携帯インターネットシステムの構成を概略的に示した図である。
【図３】従来の課金方法を携帯インターネットシステムに適用した場合、課金メッセージが課金サーバーに伝達される過程を図式化したものである。
【図４】本発明に係る携帯インターネットシステムでの課金装置を示したブロック図である。
【図５】本発明に係る課金装置の動作を説明するための図である。
【図６】本発明に係る携帯インターネットシステムでの課金方法を示したフローチャートである。
【符号の説明】
【００９６】
２００  加入者端末
２１０  基地局
２２０  制御局
２３０  ＡＡＡサーバー
２４０  ホームエージェント
４００  課金装置
４１０  課金報告タイマー
４２０  課金処理部
４３０  メモリ部
４３１  課金テーブル
【図１】
2009523353.tif 000003
【図２】
2009523353.tif 000004
【図３】
2009523353.tif 000005
【図４】
2009523353.tif 000006
【図５】
2009523353.tif 000007
【図６】
2009523353.tif 000008
【国際調査報告】
2009523353.tif 000009
2009523353.tif 000010